(57)【要約】【課題】ペアリングに必要となる情報のやりとりを適切に行う。【解決手段】電子機器は、第１通信部および第２通信部を具備する電子機器である。ここで、電子機器が具備する第１通信部は、他の電子機器との間で無線通信を行う無線通信部である。また、電子機器が具備する第２通信部は、電子機器が具備する第１通信部による他の電子機器とのペアリングに必要となる情報のやりとりを、他の電子機器との間で近距離無線通信を利用して行う近距離無線通信部である。【選択図】図１
2015177273.tif 000002
【特許請求の範囲】
【請求項１】
他の電子機器との間で無線通信を行う第１通信部と、
前記第１通信部による前記他の電子機器とのペアリングに必要となる情報のやりとりを前記他の電子機器との間で近距離無線通信を利用して行う第２通信部と
を具備する電子機器。
【請求項２】
前記情報は、前記電子機器および前記他の電子機器のそれぞれに関する接続先情報であり、
前記第２通信部は、読み書き可能なメモリを備え、
前記メモリに保持されている前記電子機器に関する前記接続先情報が読み出されて前記近距離無線通信を利用して前記他の電子機器に出力され、前記他の電子機器に関する前記接続先情報が前記近距離無線通信を利用して前記メモリに書き込まれる
請求項１記載の電子機器。
【請求項３】
前記メモリに書き込まれた前記接続先情報を前記電子機器の電源が投入されたタイミングで有効な接続先情報として設定する制御部をさらに具備する請求項２記載の電子機器。
【請求項４】
前記メモリに書き込まれた前記接続先情報を前記電子機器の電源が投入されたタイミングで一時的に用いて前記他の電子機器との接続処理を行い、当該接続処理が成功した場合には当該接続先情報を有効な接続先情報として設定する制御部をさらに具備する請求項２記載の電子機器。
【請求項５】
前記第２通信部は、前記電子機器の電源が投入されていない状態でも前記情報のやりとりを前記他の電子機器との間で前記近距離無線通信を利用して行う請求項１記載の電子機器。
【請求項６】
前記第２通信部は、前記近距離無線通信が可能な情報処理装置を経由して前記情報のやりとりを前記他の電子機器との間で行う請求項１記載の電子機器。
【請求項７】
前記第２通信部は、前記第１通信部による前記他の電子機器との無線通信に用いられる鍵情報のやりとりを前記他の電子機器との間で前記近距離無線通信を利用して行う請求項１記載の電子機器。
【請求項８】
前記第１通信部により行われる前記無線通信と前記第２通信部により行われる前記近距離無線通信とは異なる通信方式である請求項１記載の電子機器。
【請求項９】
第２電子機器との間で無線通信を行う第１通信部と、前記第１通信部による前記第２電子機器とのペアリングに必要となる情報のやりとりを前記第２電子機器との間で近距離無線通信を利用して行う第２通信部とを具備する第１電子機器と、
前記第１電子機器との間で無線通信を行う通信部と、前記近距離無線通信が可能な情報処理装置を経由して前記情報のやりとりを前記第１電子機器との間で行う制御部とを備える第２電子機器と
を具備する通信システム。
【請求項１０】
他の電子機器との間で無線通信を行う第１通信部による前記他の電子機器とのペアリングに必要となる情報のやりとりを前記他の電子機器との間で近距離無線通信を利用して行う第１通信手順と、
前記やりとりされた情報を用いて前記第１通信部により前記他の電子機器との無線通信を行う第２通信手順と
を具備する電子機器の制御方法。
【請求項１１】
他の電子機器との間で無線通信を行う第１通信部による前記他の電子機器とのペアリングに必要となる情報のやりとりを前記他の電子機器との間で近距離無線通信を利用して行う第１通信手順と、
前記やりとりされた情報を用いて前記第１通信部により前記他の電子機器との無線通信を行う第２通信手順と
をコンピュータに実行させるプログラム。
【発明の詳細な説明】
【技術分野】
【０００１】
本技術は、電子機器に関する。詳しくは、無線通信を利用して各種情報のやり取りを行う電子機器、通信システムおよびそれらの制御方法ならびに当該方法をコンピュータに実行させるプログラムに関する。
【背景技術】
【０００２】
従来、無線通信を利用して２つの電子機器間において各種情報のやり取りを行う無線通信技術が存在する。また、無線通信を利用して２つの電子機器間において各種情報のやり取りを行う前に、１対１の対応付け（ペアリング）を必要とする電子機器が存在する。
【０００３】
例えば、電源投入後にペアリング処理を行う電子機器が提案されている（例えば、特許文献１参照。）。
【先行技術文献】
【特許文献】
【０００４】
【特許文献１】特開２００９−１８８５３９号公報
【発明の概要】
【発明が解決しようとする課題】
【０００５】
上述の従来技術によれば、所望の電子機器とのペアリングを簡単に行うことができる。しかしながら、一般に、ペアリングのシーケンスは各種情報を交換する複雑なシーケンスであるため、無線通信を用いたペアリングそのものが失敗するおそれがある。そこで、ペアリングに必要となる情報のやりとりを適切に行うことが重要である。
【０００６】
本技術はこのような状況に鑑みて生み出されたものであり、ペアリングに必要となる情報のやりとりを適切に行うことを目的とする。
【課題を解決するための手段】
【０００７】
本技術は、上述の問題点を解消するためになされたものであり、その第１の側面は、他の電子機器との間で無線通信を行う第１通信部と、上記第１通信部による上記他の電子機器とのペアリングに必要となる情報のやりとりを上記他の電子機器との間で近距離無線通信を利用して行う第２通信部とを具備する電子機器およびその制御方法ならびに当該方法をコンピュータに実行させるプログラムである。これにより、第１通信部による他の電子機器とのペアリングに必要となる情報のやりとりを他の電子機器との間で近距離無線通信を利用して行うという作用をもたらす。
【０００８】
また、この第１の側面において、上記情報は、上記電子機器および上記他の電子機器のそれぞれに関する接続先情報であり、上記第２通信部は、読み書き可能なメモリを備え、上記メモリに保持されている上記電子機器に関する上記接続先情報が読み出されて上記近距離無線通信を利用して上記他の電子機器に出力され、上記他の電子機器に関する上記接続先情報が上記近距離無線通信を利用して上記メモリに書き込まれるようにしてもよい。これにより、メモリに保持されている電子機器に関する接続先情報が読み出されて近距離無線通信を利用して他の電子機器に出力され、他の電子機器に関する接続先情報が近距離無線通信を利用してメモリに書き込まれるという作用をもたらす。
【０００９】
また、この第１の側面において、上記メモリに書き込まれた上記接続先情報を上記電子機器の電源が投入されたタイミングで有効な接続先情報として設定する制御部をさらに具備するようにしてもよい。これにより、メモリに書き込まれた接続先情報を電子機器の電源が投入されたタイミングで有効な接続先情報として設定するという作用をもたらす。
【００１０】
また、この第１の側面において、上記メモリに書き込まれた上記接続先情報を上記電子機器の電源が投入されたタイミングで一時的に用いて上記他の電子機器との接続処理を行い、当該接続処理が成功した場合には当該接続先情報を有効な接続先情報として設定する制御部をさらに具備するようにしてもよい。これにより、メモリに書き込まれた接続先情報を電子機器の電源が投入されたタイミングで一時的に用いて他の電子機器との接続処理を行い、その接続処理が成功した場合には、その接続先情報を有効な接続先情報として設定するという作用をもたらす。
【００１１】
また、この第１の側面において、上記第２通信部は、上記電子機器の電源が投入されていない状態でも上記情報のやりとりを上記他の電子機器との間で上記近距離無線通信を利用して行うようにしてもよい。これにより、電子機器の電源が投入されていない状態でも、情報のやりとりを他の電子機器との間で近距離無線通信を利用して行うという作用をもたらす。
【００１２】
また、この第１の側面において、上記第２通信部は、上記近距離無線通信が可能な情報処理装置を経由して上記情報のやりとりを上記他の電子機器との間で行うようにしてもよい。これにより、近距離無線通信が可能な情報処理装置を経由して、情報のやりとりを他の電子機器との間で行うという作用をもたらす。
【００１３】
また、この第１の側面において、上記第２通信部は、上記第１通信部による上記他の電子機器との無線通信に用いられる鍵情報のやりとりを上記他の電子機器との間で上記近距離無線通信を利用して行うようにしてもよい。これにより、第１通信部による他の電子機器との無線通信に用いられる鍵情報のやりとりを、他の電子機器との間で近距離無線通信を利用して行うという作用をもたらす。
【００１４】
また、この第１の側面において、上記第１通信部により行われる上記無線通信と上記第２通信部により行われる上記近距離無線通信とを異なる通信方式とするようにしてもよい。これにより、第１通信部により行われる無線通信と、第２通信部により行われる近距離無線通信とを異なる通信方式で行うという作用をもたらす。
【００１５】
また、本技術の第２の側面は、第２電子機器との間で無線通信を行う第１通信部と、上記第１通信部による上記第２電子機器とのペアリングに必要となる情報のやりとりを上記第２電子機器との間で近距離無線通信を利用して行う第２通信部とを具備する第１電子機器と、上記第１電子機器との間で無線通信を行う通信部と、上記近距離無線通信が可能な情報処理装置を経由して上記情報のやりとりを上記第１電子機器との間で行う制御部とを備える第２電子機器とを具備する通信システムおよびその制御方法ならびに当該方法をコンピュータに実行させるプログラムである。これにより、第１電子機器は、第１通信部による第２電子機器とのペアリングに必要となる情報のやりとりを第２電子機器との間で近距離無線通信を利用して行い、第２電子機器は、近距離無線通信が可能な情報処理装置を経由して、その情報のやりとりを第１電子機器との間で行うという作用をもたらす。
【発明の効果】
【００１６】
本技術によれば、ペアリングに必要となる情報のやりとりを適切に行うことができるという優れた効果を奏し得る。なお、ここに記載された効果は必ずしも限定されるものではなく、本開示中に記載されたいずれかの効果であってもよい。
【図面の簡単な説明】
【００１７】
【図１】本技術の第１の実施の形態における通信システム１００の構成例を示す図である。
【図２】本技術の第１の実施の形態における電子機器２００および電子機器３００間においてやりとりされるアドレス情報の通信例を模式的に示す図である。
【図３】本技術の第１の実施の形態における電子機器２００および電子機器３００間においてやりとりされるアドレス情報の通信例を模式的に示す図である。
【図４】本技術の第１の実施の形態における電子機器２００においてアドレス情報を設定する場合を模式的に示す図である。
【図５】本技術の第１の実施の形態における通信システム１００を構成する各装置間における通信処理例を示すシーケンスチャートである。
【図６】本技術の第１の実施の形態における通信システム１００を構成する各装置間における通信処理例を示すシーケンスチャートである。
【図７】本技術の第１の実施の形態における電子機器２００によるアドレス情報設定処理の処理手順の一例を示すフローチャートである。
【図８】本技術の第１の実施の形態における電子機器２００、電子機器３００および情報処理装置３３０間においてやりとりされる鍵情報の通信例を模式的に示す図である。
【図９】本技術の第２の実施の形態における電子機器２００によるアドレス情報設定処理の処理手順の一例を示すフローチャートである。
【発明を実施するための形態】
【００１８】
以下、本技術を実施するための形態（以下、実施の形態と称する）について説明する。説明は以下の順序により行う。
１．第１の実施の形態（近距離無線通信を利用してアドレス情報を交換する例）
２．第２の実施の形態（近距離無線通信を利用して取得されたアドレス情報を用いた通信に成功したことを条件に、そのアドレス情報を有効なアドレス情報として設定する例）
【００１９】
＜１．第１の実施の形態＞
［通信システムの構成例］
図１は、本技術の第１の実施の形態における通信システム１００の構成例を示す図である。
【００２０】
通信システム１００は、電子機器２００と、電子機器３００と、配線接続用コネクタ３２０と、情報処理装置３３０と、ＮＦＣ（Near Field Communication）  Ｒ／Ｗ（Reader/Writer）装置３４０とを備える。
【００２１】
電子機器２００および電子機器３００は、無線通信を利用して各種情報のやりとりを行うことが可能な電子機器である。また、本技術の第１の実施の形態では、電子機器２００および電子機器３００が、制御機器および被制御機器の関係となる例を示す。
【００２２】
また、本技術の第１の実施の形態では、電子機器２００をＲＦ（Radio Frequency）リモートコントローラ等の制御機器とし、電子機器３００をＴＶ（テレビジョン）等の被制御機器とする例を示す。また、本技術の第１の実施の形態では、制御機器（電子機器２００）と、被制御機器（電子機器３００）とのペアリングに必要となる情報のやりとりを、制御機器（電子機器２００）の電源がオフの状態（電源が投入されていない状態）で行う例を示す。例えば、制御機器（電子機器２００）の電源がオフの状態でも近距離無線通信を行うことが可能な通信部を用いて、制御機器（電子機器２００）と被制御機器（電子機器３００）との間でペアリングに必要となる情報のやりとりを行うことができる。なお、近距離無線通信を行うことが可能な通信部は、例えば、ＮＦＣタグである。
【００２３】
電子機器２００は、第１通信部２１０および第２通信部２２０を備える。なお、電子機器２００における他の構成（例えば、リモートコントロール操作に用いられる操作受付部、表示部、制御部）については、説明の容易のため、ここでの図示および説明を省略する。
【００２４】
第１通信部２１０は、電源がオンの状態（電源が投入されている状態）で無線通信を行うことが可能な無線通信部である。例えば、電子機器２００がＲＦリモートコントローラである場合には、第１通信部２１０は、無線通信を利用してリモートコントロール操作に関する各情報のやりとりを行う。
【００２５】
第１通信部２１０は、無線通信部２１１と、制御部２１２と、メモリ２１３とを備える。第１通信部２１０は、例えば、ＳＯＣ（System on a Chip）により実現される。
【００２６】
無線通信部２１１は、制御部２１２の制御に基づいて、無線通信を利用して、他の電子機器（例えば、電子機器３００）との間で各情報（例えば、リモートコントロール操作に関する制御情報）の送受信を行うものである。この無線通信方式として、例えば、Ｂｌｕｅｔｏｏｔｈ（登録商標）、ＺｉｇＢｅｅ（登録商標）、無線ＬＡＮ（Local Area Network）、無線ＰＡＮ（ＷＰＡＮ（Wireless Personal Area Network））を用いることができる。また、無線ＬＡＮとして、例えば、Ｗｉ−Ｆｉ（Wireless Fidelity）を用いることができる。
【００２７】
制御部２１２は、制御プログラムに基づいて、第１通信部２１０の各部を制御するものである。制御部２１２は、例えば、マイコン等の演算部により実現される。
【００２８】
メモリ２１３は、各種情報を記憶するメモリである。メモリ２１３として、例えば、読み出し専用の不揮発性メモリ（例えば、ＲＯＭ（Read Only Memory））を用いることができる。なお、本技術の第１の実施の形態では、メモリ２１３として、電気的に内容を書き換えることができる不揮発性メモリを使用する例を示す。この不揮発性メモリは、例えば、ＥＥＰＲＯＭ（Electrically Erasable and Programmable Read Only Memory）である。
【００２９】
第２通信部２２０は、電源を必要とせずに近距離無線通信（非接触無線通信）を行うことが可能な近距離無線通信部である。第２通信部２２０は、例えば、電子機器２００に内蔵するようにしてもよく、電子機器２００の外部に取り付けるようにしてもよい。
【００３０】
第２通信部２２０は、近距離無線通信部２２１と、制御部２２２と、メモリ２２３とを備える。第２通信部２２０は、例えば、ＮＦＣタグにより実現される。
【００３１】
近距離無線通信部２２１は、制御部２２２の制御に基づいて、近距離無線通信を利用して、他の電子機器（例えば、ＮＦＣ  Ｒ／Ｗ装置３４０）との間で各情報（例えば、アドレス情報）の送受信を行うものである。この無線通信方式として、例えば、ＮＦＣを用いることができる。このＮＦＣは、例えば、ＦｅｌｉＣａ（登録商標）、非接触ＩＣ（Integrated Circuit）カードの国際標準規格ＩＳＯ（International Organization for Standardization）／ＩＥＣ（International Electrotechnical Commission）  １４４４３に規定されるＴｙｐｅ−Ａ、Ｔｙｐｅ−Ｂ、ＩＳＯ／ＩＥＣ  １８０９２に規定されるＴｙｐｅ−Ｆ等である。
【００３２】
また、本技術の第１の実施の形態では、電源が不要であり、かつ、ペアリングが不要である近距離無線通信の無線通信方式を採用する例を示す。
【００３３】
制御部２２２は、制御プログラムに基づいて、第２通信部２２０の各部を制御するものである。
【００３４】
メモリ２２３は、各種情報を記憶するメモリである。メモリ２２３として、例えば、読み出し専用の不揮発性メモリ（例えば、ＲＯＭ）を用いることができる。なお、本技術の第１の実施の形態では、メモリ２２３として、電気的に内容を書き換えることができる不揮発性メモリ（例えば、ＥＥＰＲＯＭ）を使用する例を示す。すなわち、メモリ２２３として、読み書き可能なメモリを使用する例を示す。
【００３５】
電子機器３００は、通信部３１０を備える。なお、電子機器３００における他の構成（例えば、電子機器３００がＴＶである場合には、表示部、音声出力部、制御部）については、説明の容易のため、ここでの図示および説明を省略する。
【００３６】
通信部３１０は、電源がオンの状態で無線通信を行うことが可能な無線通信部である。例えば、電子機器３００がＴＶであり、電子機器２００がＲＦリモートコントローラである場合には、通信部３１０は、無線通信を利用してリモートコントロール操作に関する各情報のやりとりを行う。
【００３７】
通信部３１０は、無線通信部３１１と、制御部３１２と、メモリ３１３とを備える。なお、無線通信部３１１、制御部３１２およびメモリ３１３は、電子機器２００の第１通信部２１０が備える無線通信部２１１、制御部２１２およびメモリ２１３のそれぞれに対応する。このため、これらについてのここでの詳細な説明を省略する。なお、制御部３１２は、近距離無線通信が可能なＮＦＣ  Ｒ／Ｗ装置３４０、情報処理装置３３０を経由して各種情報のやりとりを電子機器２００との間で行うことができるものとする。
【００３８】
ここで、無線通信部２１１および無線通信部３１１は、同一の無線通信方式を用いて無線通信を行うものとする。また、無線通信部２１１および無線通信部３１１の無線通信方式と、近距離無線通信部２２１の無線通信方式とは、異なる無線通信方式を用いるようにする。
【００３９】
また、無線通信部２１１および無線通信部３１１が無線通信を行う場合には、アドレス情報および鍵情報を用いる。アドレス情報は、無線通信を行う際に各電子機器を特定するために用いられる情報である。また、アドレス情報は、ペアリングに必要な情報の一例である。例えば、アドレス情報は、電子機器２００および電子機器３００のそれぞれに関する接続先情報として把握することができる。また、鍵情報は、無線通信において通信対象となる情報の暗号化、符号化を行う際に用いられる情報である。
【００４０】
例えば、無線通信方式としてＷｉ−Ｆｉを用いる場合には、アドレス情報は、ＭＡＣ  ａｄｄｒｅｓｓであり、鍵情報は、Ｎｅｔｗｏｒｋ  ｋｅｙである。
【００４１】
また、例えば、無線通信方式としてＢｌｕｅｔｏｏｔｈを用いる場合には、アドレス情報は、Ｂｌｕｅｔｏｏｔｈ  ｄｅｖｉｃｅ  ａｄｄｒｅｓｓであり、鍵情報は、ｌｉｎｋ  ｋｅｙである。
【００４２】
また、例えば、無線通信方式としてＺｉｇＢｅｅ  ＲＦ４ＣＥ（Radio Frequency for Consumer Electronics）を用いる場合を想定する。この場合、アドレス情報は、ＩＥＥＥ（Institute of Electrical and Electronics Engineers）  ａｄｄｒｅｓｓ（ＭＡＣ（Media Access Control）  ａｄｄｒｅｓｓ）である。また、鍵情報は、ｓｅｃｕｒｉｔｙ  ｌｉｎｋ  ｋｅｙである。
【００４３】
配線接続用コネクタ３２０は、電子機器３００および情報処理装置３３０を接続するためのコネクタである。
【００４４】
情報処理装置３３０は、電子機器２００の第２通信部２２０と、電子機器３００との間で各種情報のやりとりを行うための制御を行う情報処理装置である。情報処理装置３３０は、例えば、パーソナルコンピュータにより実現される。
【００４５】
ＮＦＣ  Ｒ／Ｗ装置３４０は、情報処理装置３３０と接続され、情報処理装置３３０の制御に基づいて、ＮＦＣタグの読み書きを行うものである。例えば、ＮＦＣ  Ｒ／Ｗ装置３４０は、第２通信部２２０のメモリ２２３に記憶されているアドレス情報を読み出し、情報処理装置３３０に出力する。また、例えば、ＮＦＣ  Ｒ／Ｗ装置３４０は、情報処理装置３３０から出力されたアドレス情報を、第２通信部２２０のメモリ２２３に書き込む。
【００４６】
また、例えば、ＮＦＣ  Ｒ／Ｗ装置３４０からのＰｏｌｌｉｎｇ  Ｃｏｍｍａｎｄを受信した際に、電子機器２００の第２通信部２２０の動作が開始される。そして、電子機器２００の第２通信部２２０は、Ｐｏｌｌｉｎｇ  Ｃｏｍｍａｎｄに対する応答（Ｐｏｌｌｉｎｇ  Ｒｅｓｐｏｎｃｅ）をＮＦＣ  Ｒ／Ｗ装置３４０に対して行う。なお、本技術の第１の実施の形態では、ＮＦＣ  Ｒ／Ｗ装置３４０および情報処理装置３３０を別体の機器とする例を示すが、ＮＦＣ  Ｒ／Ｗ装置３４０および情報処理装置３３０を一体で構成するようにしてもよい。
【００４７】
［アドレス情報の通信例］
図２および図３は、本技術の第１の実施の形態における電子機器２００および電子機器３００間においてやりとりされるアドレス情報の通信例を模式的に示す図である。
【００４８】
例えば、電子機器３００（例えば、ＴＶ）の製造工場において、電子機器２００（例えば、ＲＦリモートコントローラ）および電子機器３００間においてアドレス情報を交換する交換処理を行う場合が想定される。
【００４９】
図２のａに示すように、電子機器２００のメモリ２１３には、第１通信部２１０の無線通信部２１１による無線通信に用いられるアドレス情報（電子機器２００）４０１が記憶されている。また、電子機器３００のメモリ３１３には、電子機器３００の無線通信部３１１による無線通信に用いられるアドレス情報（電子機器３００）４０２が記憶されている。
【００５０】
ここで、電子機器２００における第１通信部２１０のメモリ２１３からの各種情報の読み出しや、メモリ２１３への各種情報の書き込みには、電子機器２００の電源をオンする必要がある。これに対して、電子機器２００における第２通信部２２０のメモリ２２３からの各種情報の読み出しや、メモリ２２３への各種情報の書き込みには、電子機器２００からの電源は不要である。
【００５１】
そこで、図２のｂに示すように、電子機器２００において、メモリ２１３に記憶されているアドレス情報（電子機器２００）４０１を、メモリ２２３にコピーしておくようにする。例えば、第１通信部２１０および第２通信部２２０が各種情報のやりとりを行うことが可能な信号線で接続されている場合には、その信号線を介してメモリ２１３からメモリ２２３にアドレス情報（電子機器２００）４０１をコピーすることができる。また、例えば、第１通信部２１０および第２通信部２２０が直接接続されていない場合には、外部装置（例えば、情報処理装置およびＮＦＣ  Ｒ／Ｗ装置）を用いて、メモリ２１３からメモリ２２３にアドレス情報（電子機器２００）４０１をコピーする。これにより、電子機器２００の電源がオフ状態であっても、電子機器２００のアドレス情報（電子機器２００）４０３を読み出すことが可能となる。
【００５２】
ここで、アドレス情報（電子機器２００）４０３およびアドレス情報（電子機器３００）４０２を交換する例について説明する。この場合には、電子機器２００の電源がオフ状態であってもよい。
【００５３】
例えば、近距離無線通信が可能となる距離まで電子機器２００およびＮＦＣ  Ｒ／Ｗ装置３４０を近づける。これにより、電子機器２００およびＮＦＣ  Ｒ／Ｗ装置３４０間での近距離無線通信が可能となる。例えば、ＮＦＣを用いる場合には、近距離無線通信を行うことが可能な距離は、１０ｃｍ程度である。
【００５４】
例えば、ＮＦＣでは、装置間で定期的な通信が行われる。例えば、ＮＦＣ  Ｒ／Ｗ装置３４０から定期的にＰｏｌｌｉｎｇ  Ｃｏｍｍａｎｄが発行される。
【００５５】
例えば、定期的に発行されるＰｏｌｌｉｎｇ  Ｃｏｍｍａｎｄに対する応答（Ｐｏｌｌｉｎｇ  Ｒｅｓｐｏｎｃｅ）がある場合には、ＮＦＣ  Ｒ／Ｗ装置３４０は、ＮＦＣを利用したデータ通信が可能となる。そこで、Ｐｏｌｌｉｎｇ  Ｒｅｓｐｏｎｃｅを受信した場合に、ＮＦＣ  Ｒ／Ｗ装置３４０は、アドレス情報の交換処理を行う。
【００５６】
例えば、図３のａに示すように、ＮＦＣ  Ｒ／Ｗ装置３４０は、情報処理装置３３０の制御に基づいて、電子機器２００のメモリ２２３からアドレス情報（電子機器２００）４０３を読み出す。そして、情報処理装置３３０は、ＮＦＣ  Ｒ／Ｗ装置３４０によりメモリ２２３から読み出されたアドレス情報（電子機器２００）４０３を、配線接続用コネクタ３２０を介して電子機器３００に送信してメモリ３１３に書き込む。このように、アドレス情報（電子機器２００）４０４が、メモリ３１３に書き込まれる。
【００５７】
また、例えば、図３のｂに示すように、情報処理装置３３０は、電子機器３００のメモリ３１３からアドレス情報（電子機器３００）４０２を読み出す。そして、情報処理装置３３０は、メモリ３１３から読み出されたアドレス情報（電子機器３００）４０２を、ＮＦＣ  Ｒ／Ｗ装置３４０に送信する。続いて、ＮＦＣ  Ｒ／Ｗ装置３４０は、そのアドレス情報（電子機器３００）４０２を電子機器２００に送信してメモリ２２３に書き込む。このように、アドレス情報（電子機器３００）４０５が、メモリ２２３に書き込まれる。
【００５８】
また、アドレス情報の交換処理と同様に、電子機器２００および電子機器３００間において無線通信を行う場合に用いられる鍵情報を、電子機器２００および電子機器３００間においてやりとりをするようにしてもよい。この鍵情報のやりとりは、アドレス情報とともに行うようにしてもよく、所定の順序（例えば、アドレス情報→鍵情報）で行うようにしてもよい。
【００５９】
［アドレス情報の設定例］
図４は、本技術の第１の実施の形態における電子機器２００においてアドレス情報を設定する場合を模式的に示す図である。
【００６０】
図４には、電子機器２００の電源が最初にオンされた際に、電子機器２００においてアドレス情報を設定する例を示す。
【００６１】
電子機器２００の電源が最初にオンされる前の状態では、上述したように、メモリ２２３にアドレス情報（電子機器３００）４０５が記憶されている。また、電子機器２００の電源が最初にオンされる前の状態では、上述したように、メモリ２１３にアドレス情報（電子機器３００）４０２を書き込むことができない。
【００６２】
このため、電子機器２００の電源が最初にオンされたタイミングで、図４に示すように、制御部２１２が、メモリ２２３に記憶されているアドレス情報（電子機器３００）４０５を読み出し、アドレス情報（電子機器３００）４０５をメモリ２１３に書き込む。これにより、電子機器２００においてアドレス情報が設定される。そして、無線通信部２１１は、メモリ２１３に記憶されているアドレス情報（電子機器３００）４０６を用いて、電子機器３００の無線通信部３１１との間で無線通信を行うことができる。
【００６３】
なお、第１通信部２１０および第２通信部２２０が直接接続されていない場合も想定される。この場合には、外部装置（例えば、情報処理装置およびＮＦＣ  Ｒ／Ｗ装置）を用いて、メモリ２２３に記憶されているアドレス情報（電子機器３００）４０５を読み出し、アドレス情報（電子機器３００）４０５をメモリ２１３に書き込むようにすることができる。
【００６４】
なお、無線通信部２１１が、メモリ２２３に記憶されているアドレス情報（電子機器３００）４０５を用いることが可能なことも想定される。この場合には、上述したように、メモリ２２３からメモリ２１３へのアドレス情報（電子機器３００）４０５の移動を行わなくてもよい。そして、無線通信部２１１は、メモリ２２３に記憶されているアドレス情報（電子機器３００）４０５を用いて、無線通信部３１１との間で無線通信を行うことができる。
【００６５】
［通信例］
図５および図６は、本技術の第１の実施の形態における通信システム１００を構成する各装置間における通信処理例を示すシーケンスチャートである。
【００６６】
例えば、電子機器３００（例えば、ＴＶ）の製造工場において、電子機器２００（例えば、ＲＦリモートコントローラ）および電子機器３００間においてアドレス情報を交換する交換処理を行う場合が想定される。
【００６７】
最初に、電子機器２００において、第１通信部２１０のメモリ２１３に記憶されているアドレス情報（電子機器２００）を、第２通信部２２０のメモリ２２３にコピーしておく（５０１、５０２）。
【００６８】
続いて、近距離無線通信が可能となる距離まで、電子機器２００およびＮＦＣ  Ｒ／Ｗ装置３４０を近づける。これにより、電子機器２００およびＮＦＣ  Ｒ／Ｗ装置３４０間での近距離無線通信が可能となる。
【００６９】
このように、電子機器２００およびＮＦＣ  Ｒ／Ｗ装置３４０間での近距離無線通信が可能となった場合には、情報処理装置３３０は、アドレス情報読出指示をＮＦＣ  Ｒ／Ｗ装置３４０に出力する（５０３、５０４）。このアドレス情報読出指示は、電子機器２００のメモリ２２３に記憶されているアドレス情報（電子機器２００）を読み出すことを指示するための情報である。
【００７０】
アドレス情報読出指示を受け付けた場合には（５０４）、ＮＦＣ  Ｒ／Ｗ装置３４０は、アドレス情報読出要求を電子機器２００に送信する（５０５、５０６）。このアドレス情報読出要求は、電子機器２００のメモリ２２３に記憶されているアドレス情報（電子機器２００）の読み出しを要求するための情報である。
【００７１】
アドレス情報読出要求を受信した場合には（５０６）、第２通信部２２０の制御部２２２は、第２通信部２２０のメモリ２２３に記憶されているアドレス情報（電子機器２００）を読み出してＮＦＣ  Ｒ／Ｗ装置３４０に送信する（５０７、５０８）。
【００７２】
アドレス情報（電子機器２００）を受信した場合には（５０８）、ＮＦＣ  Ｒ／Ｗ装置３４０は、そのアドレス情報（電子機器２００）を情報処理装置３３０に送信する（５０９、５１０）。
【００７３】
アドレス情報（電子機器２００）を受信した場合には（５１０）、情報処理装置３３０は、そのアドレス情報（電子機器２００）を、配線接続用コネクタ３２０を介して電子機器３００に送信してメモリ３１３に書き込む（５１１乃至５１３）。
【００７４】
続いて、情報処理装置３３０は、アドレス情報読出要求を電子機器３００に送信する（５１４、５１５）。このアドレス情報読出要求は、電子機器３００のメモリ３１３に記憶されているアドレス情報（電子機器３００）の読み出しを要求するための情報である。
【００７５】
アドレス情報読出要求を受信した場合には（５１５）、通信部３１０の制御部３１２は、通信部３１０のメモリ３１３に記憶されているアドレス情報（電子機器３００）を読み出して情報処理装置３３０に送信する（５１６、５１７）。
【００７６】
アドレス情報（電子機器３００）を受信した場合には（５１７）、情報処理装置３３０は、そのアドレス情報（電子機器３００）をＮＦＣ  Ｒ／Ｗ装置３４０に送信する（５１８、５１９）。
【００７７】
アドレス情報（電子機器３００）を受信した場合には（５１９）、ＮＦＣ  Ｒ／Ｗ装置３４０は、そのアドレス情報（電子機器３００）を、電子機器２００に送信してメモリ２２３に書き込む（５２０乃至５２２）。
【００７８】
続いて、電子機器２００の電源が最初にオンされた場合には（５２３）、第１通信部２１０の制御部２１２が、第２通信部２２０のメモリ２２３に記憶されているアドレス情報（電子機器３００）を読み出す。そして、第１通信部２１０の制御部２１２が、そのアドレス情報（電子機器３００）を第１通信部２１０のメモリ２１３に書き込む（５２４、５２５）。これにより、電子機器２００においてアドレス情報が設定される。
【００７９】
続いて、第１通信部２１０の無線通信部２１１は、メモリ２１３に記憶されているアドレス情報（電子機器３００）を用いて、電子機器３００の無線通信部３１１との間で無線通信を行う（５２６、５２７）。
【００８０】
なお、図５および図６では、電子機器２００のアドレス情報（電子機器２００）を電子機器３００に書き込んだ後に、電子機器３００のアドレス情報（電子機器３００）を電子機器２００に書き込む例を示した。ただし、アドレス情報（電子機器２００）およびアドレス情報（電子機器３００）の読み出し処理、書き込み処理を行う順序は、これに限定されない。例えば、電子機器３００のアドレス情報（電子機器３００）を電子機器２００に書き込んだ後に、電子機器２００のアドレス情報（電子機器２００）を電子機器３００に書き込むようにしてもよい。また、アドレス情報（電子機器２００）およびアドレス情報（電子機器３００）の読み出し処理、書き込み処理を略同時に行うようにしてもよい。
【００８１】
また、上述したように、アドレス情報の交換処理とともに、電子機器２００および電子機器３００間において無線通信を行う場合に用いられる鍵情報を、電子機器２００および電子機器３００間においてやりとりをするようにしてもよい。例えば、情報処理装置３３０は、電子機器２００および電子機器３００の双方に対して共通の鍵情報を書き込むことができる。
【００８２】
［電子機器の動作例］
図７は、本技術の第１の実施の形態における電子機器２００によるアドレス情報設定処理の処理手順の一例を示すフローチャートである。
【００８３】
最初に、電子機器２００において、第１通信部２１０のメモリ２１３に記憶されているアドレス情報（電子機器２００）が、第２通信部２２０のメモリ２２３にコピーされる（ステップＳ９０１）。
【００８４】
続いて、第２通信部２２０において近距離無線通信が可能となった場合には、第２通信部２２０の制御部２２２は、アドレス情報読出要求を受信したか否かを判断する（ステップＳ９０２）。そして、アドレス情報読出要求を受信していない場合には（ステップＳ９０２）、監視を継続して行う。
【００８５】
アドレス情報読出要求を受信した場合には（ステップＳ９０２）、第２通信部２２０の制御部２２２は、第２通信部２２０のメモリ２２３に記憶されているアドレス情報（電子機器２００）を読み出す（ステップＳ９０３）。そして、第２通信部２２０の制御部２２２は、そのアドレス情報（電子機器２００）を近距離無線通信を利用して送信する（ステップＳ９０３）。
【００８６】
続いて、第２通信部２２０の制御部２２２は、アドレス情報（電子機器３００）を受信したか否かを判断する（ステップＳ９０４）。そして、アドレス情報（電子機器３００）を受信していない場合には（ステップＳ９０４）、監視を継続して行う。
【００８７】
アドレス情報（電子機器３００）を受信した場合には（ステップＳ９０４）、第２通信部２２０の制御部２２２は、そのアドレス情報（電子機器３００）を第２通信部２２０のメモリ２２３に書き込む（ステップＳ９０５）。なお、ステップＳ９０２乃至ステップＳ９０５は、特許請求の範囲に記載の第１通信手順の一例である。
【００８８】
続いて、電子機器２００の電源が最初にオンされたか否かが判断される（ステップＳ９０６）。電子機器２００の電源が最初にオンされた場合には（ステップＳ９０６）、第１通信部２１０の制御部２１２は、第２通信部２２０のメモリ２２３に記憶されているアドレス情報（電子機器３００）を読み出す（ステップＳ９０７）。そして、第１通信部２１０の制御部２１２は、第１通信部２１０のメモリ２１３に書き込む（ステップＳ９０７）。これにより、電子機器２００においてアドレス情報が設定される。
【００８９】
続いて、第１通信部２１０の無線通信部２１１は、メモリ２１３に記憶されているアドレス情報（電子機器３００）を用いて、他の電子機器の無線通信部との間で無線通信を行う（ステップＳ９０８）。なお、ステップＳ９０８は、特許請求の範囲に記載の第２通信手順の一例である。
【００９０】
続いて、無線通信が終了したか否かが判断され（ステップＳ９０９）、無線通信が終了した場合には、アドレス情報設定処理の動作を終了する。また、無線通信が終了していない場合には（ステップＳ９０９）、ステップＳ９０８に戻る。
【００９１】
このように、第２通信部２２０は、第１通信部２１０による電子機器３００とのペアリングに必要となる情報（アドレス情報）のやりとりを電子機器３００との間で近距離無線通信を利用して行う。この場合に、第２通信部２２０のメモリ２２３に保持されている電子機器２００に関するアドレス情報が読み出されて近距離無線通信を利用して電子機器３００に出力される。また、電子機器３００に関するアドレス情報が近距離無線通信を利用して第２通信部２２０のメモリ２２３に書き込まれる。
【００９２】
また、第１通信部２１０の制御部２１２は、第２通信部２２０のメモリ２２３に書き込まれたアドレス情報を電子機器２００の電源が投入されたタイミングで有効なアドレス情報として設定する。
【００９３】
［各装置で生成された鍵情報を書き込む例］
上述したように、アドレス情報とともに、鍵情報を各装置間でやりとりすることができる。また、電子機器２００、電子機器３００、情報処理装置３３０の何れかで鍵情報を生成し、その生成された鍵情報を他の装置に書き込むことも可能である。そこで、ここでは、電子機器２００、電子機器３００、情報処理装置３３０の何れかで生成された鍵情報を他の装置に書き込む例を示す。
【００９４】
図８は、本技術の第１の実施の形態における電子機器２００、電子機器３００および情報処理装置３３０間においてやりとりされる鍵情報の通信例を模式的に示す図である。
【００９５】
図８のａには、鍵情報を情報処理装置３３０が生成する例を示す。この場合には、情報処理装置３３０が、生成された鍵情報６０１、６０２を、電子機器２００および電子機器３００に送信して書き込む。例えば、情報処理装置３３０は、アドレス情報（電子機器２００）を電子機器３００に送信するタイミング（例えば、図５に示す５１１、５１２）で、鍵情報６０２を電子機器３００に送信することができる。また、例えば、情報処理装置３３０は、アドレス情報（電子機器３００）を電子機器２００に送信するタイミング（図５に示す５１８乃至５２１）で、鍵情報６０１を電子機器２００に送信することができる。
【００９６】
図８のｂには、鍵情報を電子機器３００が生成する例を示す。この場合には、電子機器３００が、生成された鍵情報６０３、６０４を、電子機器２００および情報処理装置３３０に送信して書き込む。例えば、電子機器３００は、アドレス情報（電子機器３００）を情報処理装置３３０に送信するタイミング（例えば、図６に示す５１６、５１７）で、鍵情報６０４を情報処理装置３３０に送信することができる。また、例えば、情報処理装置３３０は、アドレス情報（電子機器３００）を電子機器２００に送信するタイミング（図５に示す５１８乃至５２１）で、鍵情報６０３を電子機器２００に送信することができる。
【００９７】
図８のｃには、鍵情報を電子機器２００が生成する例を示す。この場合には、電子機器２００が、生成された鍵情報６０５、６０６を、電子機器３００および情報処理装置３３０に送信して書き込む。例えば、電子機器２００は、アドレス情報（電子機器２００）を情報処理装置３３０に送信するタイミング（例えば、図５に示す５０７乃至５１０）で、鍵情報６０５を情報処理装置３３０に送信することができる。また、例えば、情報処理装置３３０は、アドレス情報（電子機器２００）を電子機器３００に送信するタイミング（図５に示す５１１、５１２）で、鍵情報６０６を電子機器３００に送信することができる。
【００９８】
＜２．第２の実施の形態＞
本技術の第１の実施の形態では、電子機器２００の電源が最初にオンされたタイミングで、有効なアドレス情報を設定する例を示した。すなわち、電子機器２００の電源が最初にオンされたタイミングで、第２通信部２２０のメモリ２２３に記憶されているアドレス情報（電子機器３００）を、第１通信部２１０のメモリ２１３に書き込む例を示した。しかしながら、何らかの理由により、第２通信部２２０のメモリ２２３に記憶されたアドレス情報（電子機器３００）を用いて接続処理を行うことができないことも想定される。
【００９９】
そこで、本技術の第２の実施の形態では、第２通信部２２０のメモリ２２３に記憶されているアドレス情報（電子機器３００）を仮のアドレス情報とする。そして、その仮のアドレス情報を用いた通信に成功したことを条件に、アドレス情報（電子機器３００）を有効なアドレス情報として設定する例を示す。すなわち、電子機器２００の電源が最初にオンされた直後ではなく、仮のアドレス情報を一時的に使用した通信が最初に成功した際に、その仮のアドレス情報を有効なアドレス情報として設定する例を示す。なお、本技術の第２の実施の形態における通信システムは、図１に示す通信システム１００と同一であるため、通信システム１００と共通する部分については、同一の符号を付して、その説明の一部を省略する。
【０１００】
［電子機器の動作例］
図９は、本技術の第２の実施の形態における電子機器２００によるアドレス情報設定処理の処理手順の一例を示すフローチャートである。なお、図９では、図７に示す処理手順（ステップＳ９０６、Ｓ９０７）に対応する処理手順の一例を示す。
【０１０１】
最初に、電子機器２００の電源が最初にオンされたか否かが判断される（ステップＳ９１１）。電子機器２００の電源が最初にオンされた場合には（ステップＳ９１１）、第１通信部２１０の制御部２１２は、第２通信部２２０のメモリ２２３に記憶されているアドレス情報（電子機器３００）を仮のアドレス情報とする。そして、第１通信部２１０の制御部２１２は、その仮のアドレス情報（電子機器３００）を用いて、他の電子機器の無線通信部との間で接続処理を行う（ステップＳ９１２）。
【０１０２】
続いて、第１通信部２１０の制御部２１２は、仮のアドレス情報を用いた接続処理が成功したか否かを判断する（ステップＳ９１３）。仮のアドレス情報を用いた接続処理が成功しなかった場合には（ステップＳ９１３）、アドレス情報設定処理の動作を終了する。
【０１０３】
仮のアドレス情報を用いた接続処理が成功した場合には（ステップＳ９１３）、第１通信部２１０の制御部２１２は、第２通信部２２０のメモリ２２３に記憶されているアドレス情報（電子機器３００）を読み出す（ステップＳ９１４）。そして、第１通信部２１０の制御部２１２は、第１通信部２１０のメモリ２１３に書き込む（ステップＳ９１４）。これにより、電子機器２００において、仮のアドレス情報が有効なアドレス情報として設定される。
【０１０４】
このように、第１通信部２１０の制御部２１２は、第２通信部２２０のメモリ２２３に書き込まれたアドレス情報を電子機器２００の電源が投入されたタイミングで一時的に用いて電子機器３００との接続処理を行う。そして、第１通信部２１０の制御部２１２は、その接続処理が成功した場合には、そのアドレス情報を有効なアドレス情報として設定する。
【０１０５】
ここで、２つの電子機器が同梱されて工場から出荷される場合には、工場でペアリングを終えてから出荷することが想定される。また、同梱される電子機器によっては、別の工場で製造された電子機器が梱包されて納品されることも想定される。このような場合でも、電源投入無しでも情報を書き込めるＮＦＣタグを用い第１電子機器（例えば、制御機器）と、第２電子機器（例えば、被制御機器）とのペアリングを第２電子機器の工場内で容易に行うことができる。すなわち、第１電子機器の電源が投入されていない状態でも、ＮＦＣ  Ｒ／Ｗ装置による第１電子機器のアドレス情報の読み書きが可能である。これにより、第１電子機器および第２電子機器のペアリングを、第１電子機器のＮＦＣタグを用いて電源投入なしでも行うことができる。また、別の工場で製造された電子機器の電源を投入せずに、ペアリングを適切に行うことができる。
【０１０６】
また、工場出荷後にユーザが電子機器２００の電源を最初に投入したタイミングで、電子機器２００の第１通信部２１０は、第２通信部２２０のメモリ２２３に書き込まれている電子機器３００のアドレス情報を用いることができる。これにより、工場出荷後にユーザが電子機器２００の電源を最初に投入した直後に、電子機器２００の第１通信部２１０は、電子機器３００との間で通信を行うことができる。すなわち、工場出荷後のユーザ操作によるペアリング操作を不要とすることができる。
【０１０７】
このように、本技術の実施の形態では、電子機器２００の電源が投入されていない状態でも、ＮＦＣ  Ｒ／Ｗ装置３４０による電子機器２００のアドレス情報の読み出しと、電子機器３００へのアドレス情報の書き込みが可能である。
【０１０８】
ここで、ユーザがペアリング操作（例えば、ユーザが数桁の番号を入力する方法、２台の電子機器のペアリング操作を所定時間内に行う方法）を行う場合を想定する。この場合には、ユーザ負担が大きく、ユーザによってはペアリング操作そのものを理解できずに、ペアリングを行うことができないことも想定される。これに対して、本技術の実施の形態では、電子機器間のペアリングを行う場合に、ユーザがペアリング操作（例えば、ユーザが数桁の番号を入力する方法、２台の電子機器のペアリング操作を所定時間内に行う方法）を行う必要がない。
【０１０９】
また、一般に、ペアリングのシーケンスは各種情報を交換する複雑なシーケンスであるため、無線通信を用いたペアリングそのものが失敗するおそれがある。このように、ペアリングのやりとり自体が複雑であるため、電波が混線しているような環境では、ペアリングを正しく実行することができないことも想定される。これに対して、本技術の第１の実施の形態では、近距離無線通信を利用してアドレス情報の交換を行うため、無線を用いたペアリング特有のペアリングの失敗を防止することができる。また、電子機器３００の製造工場では、電子機器２００の梱包開梱・再梱包や、電子機器２００の電源投入の手間を不要とすることができる。
【０１１０】
ここで、ユーザが手動操作でペアリングすることによりアドレス情報を設定することも想定される。このような場合に、例えば、電子機器のサービスマンが、保守目的で、その設定されたアドレス情報を確認することも想定される。このような確認をする場合には、ユーザの手動操作によるペアリングにより設定されたアドレス情報を、第２通信部２２０のメモリ２２３にコピーして用いることも可能である。この場合には、電子機器２００の電源がオフの状態でも、外部の情報処理装置、ＮＦＣ  Ｒ／Ｗ装置を用いて、ユーザの手動操作によるペアリングにより設定されたアドレス情報を容易に読み出すことができる。このため、保守目的でもアドレス情報を容易に確認することができる。
【０１１１】
なお、本技術の実施の形態では、ＲＦリモートコントローラ等の制御機器（電子機器２００）と、ＴＶ等の被制御機器（電子機器３００）とのペアリングをする例を示した。ただし、他の電子機器のペアリングについても、本技術の実施の形態を適用することができる。例えば、ペアで使用される電子機器（例えば、ペアで同包される電子機器）に、本技術の実施の形態を適用することができる。ペアで使用される電子機器は、例えば、ＲＦリモートコントローラと、これを用いる家電（例えば、オーディオ機器、エアコン）とである。
【０１１２】
なお、本技術の実施の形態では、不揮発性メモリにアドレス情報を書き込む例を示したが、他のメモリ（例えば、揮発性メモリ（例えば、ＲＡＭ（Random Access Memory）））にアドレス情報を書き込むようにしてもよい。また、他のメモリ（例えば、揮発性メモリ）にアドレス情報を一時的に保持させた後に、不揮発性メモリにアドレス情報を書き込むようにしてもよい。
【０１１３】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０１１４】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【０１１５】
なお、本明細書に記載された効果はあくまで例示であって、限定されるものではなく、また、他の効果があってもよい。
【０１１６】
なお、本技術は以下のような構成もとることができる。
（１）
他の電子機器との間で無線通信を行う第１通信部と、
前記第１通信部による前記他の電子機器とのペアリングに必要となる情報のやりとりを前記他の電子機器との間で近距離無線通信を利用して行う第２通信部と
を具備する電子機器。
（２）
前記情報は、前記電子機器および前記他の電子機器のそれぞれに関する接続先情報であり、
前記第２通信部は、読み書き可能なメモリを備え、
前記メモリに保持されている前記電子機器に関する前記接続先情報が読み出されて前記近距離無線通信を利用して前記他の電子機器に出力され、前記他の電子機器に関する前記接続先情報が前記近距離無線通信を利用して前記メモリに書き込まれる
前記（１）に記載の電子機器。
（３）
前記メモリに書き込まれた前記接続先情報を前記電子機器の電源が投入されたタイミングで有効な接続先情報として設定する制御部をさらに具備する前記（２）に記載の電子機器。
（４）
前記メモリに書き込まれた前記接続先情報を前記電子機器の電源が投入されたタイミングで一時的に用いて前記他の電子機器との接続処理を行い、当該接続処理が成功した場合には当該接続先情報を有効な接続先情報として設定する制御部をさらに具備する前記（２）に記載の電子機器。
（５）
前記第２通信部は、前記電子機器の電源が投入されていない状態でも前記情報のやりとりを前記他の電子機器との間で前記近距離無線通信を利用して行う前記（１）から（４）のいずれかに記載の電子機器。
（６）
前記第２通信部は、前記近距離無線通信が可能な情報処理装置を経由して前記情報のやりとりを前記他の電子機器との間で行う前記（１）から（５）のいずれかに記載の電子機器。
（７）
前記第２通信部は、前記第１通信部による前記他の電子機器との無線通信に用いられる鍵情報のやりとりを前記他の電子機器との間で前記近距離無線通信を利用して行う前記（１）から（６）のいずれかに記載の電子機器。
（８）
前記第１通信部により行われる前記無線通信と前記第２通信部により行われる前記近距離無線通信とは異なる通信方式である前記（１）から（７）のいずれかに記載の電子機器。
（９）
第２電子機器との間で無線通信を行う第１通信部と、前記第１通信部による前記第２電子機器とのペアリングに必要となる情報のやりとりを前記第２電子機器との間で近距離無線通信を利用して行う第２通信部とを具備する第１電子機器と、
前記第１電子機器との間で無線通信を行う通信部と、前記近距離無線通信が可能な情報処理装置を経由して前記情報のやりとりを前記第１電子機器との間で行う制御部とを備える第２電子機器と
を具備する通信システム。
（１０）
他の電子機器との間で無線通信を行う第１通信部による前記他の電子機器とのペアリングに必要となる情報のやりとりを前記他の電子機器との間で近距離無線通信を利用して行う第１通信手順と、
前記やりとりされた情報を用いて前記第１通信部により前記他の電子機器との無線通信を行う第２通信手順と
を具備する電子機器の制御方法。
（１１）
他の電子機器との間で無線通信を行う第１通信部による前記他の電子機器とのペアリングに必要となる情報のやりとりを前記他の電子機器との間で近距離無線通信を利用して行う第１通信手順と、
前記やりとりされた情報を用いて前記第１通信部により前記他の電子機器との無線通信を行う第２通信手順と
をコンピュータに実行させるプログラム。
【符号の説明】
【０１１７】
１００  通信システム
２００  電子機器
２１０  第１通信部
２１１  無線通信部
２１２  制御部
２１３  メモリ
２２０  第２通信部
２２１  近距離無線通信部
２２２  制御部
２２３  メモリ
３００  電子機器
３１０  通信部
３１１  無線通信部
３１２  制御部
３１３  メモリ
３２０  配線接続用コネクタ
３３０  情報処理装置
３４０  ＮＦＣ  Ｒ／Ｗ装置
【図１】
2015177273.tif 000003
【図２】
2015177273.tif 000004
【図３】
2015177273.tif 000005
【図４】
2015177273.tif 000006
【図５】
2015177273.tif 000007
【図６】
2015177273.tif 000008
【図７】
2015177273.tif 000009
【図８】
2015177273.tif 000010
【図９】
2015177273.tif 000011